【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
画像ごとまたは面状に枚葉紙に接着剤を塗布するための少なくとも一つの着け装置(１)および、担体フォイルから枚葉紙へ画線部提供層またはカバー層を転写するための箔コーティング装置(２)を備えた枚葉紙加工機、特に枚葉紙輪転印刷機において、担体フォイルから枚葉紙に画線部提供層またはカバー層もしくは重ね層を転写する方法であって、
箔コーティング装置(２)において転写ギャップ(６)が形成され、該担体フォイルはプレスロール(３)の表面に沿って、また、コーティングされた側を枚葉紙に押し付けて圧力をかけ、枚葉紙と一緒に転写ギャップ(６)を通過するようガイド可能であり、それにより画線部提供層またはカバー層が、接着剤が塗布された領域において担体フォイルから枚葉紙に転写されて付着し、前記枚葉紙が、箔付けの前および／あるいは後で乾燥させられる方法において、
・前記印刷機に、フォイル材料からなる被印刷物枚葉紙が、フォイル枚葉紙として供給されること、
・各フォイル枚葉紙には、箔付けの前に、表面処理または着色のための液状媒体がコーティングされること、
および／あるいは
・各フォイル枚葉紙には、箔付けの前に、表面張力に影響を与える装置により処理が施されること、
・印刷済みまたは箔コーティング済みもしくは未印刷または箔コーティングされていない少なくとも一つの第１面に、転写ギャップ(６)において、担体フォイル(５)から画像ごとまたは全面的な箔付けが行われることを特徴とする方法。
【請求項２】
請求項１に記載の方法であって、
・フォイル枚葉紙が、枚葉紙加工機において少なくとも一つの面に液状媒体でコーティングされること、
・このコーティング上に、担体フォイル(５)から画像ごとまたは面状に箔付けが施されること、
・該フォイル枚葉紙のこのように箔付けされた面に、印刷インキにより一つまたは複数の印刷画像がつけられることを特徴とする方法。
【請求項３】
請求項２に記載の方法であって、
第１面がコーティングされた後にフォイル枚葉紙が枚葉紙加工機内で反転させられること、
該枚葉紙のコーティングされた面と反対側の面に、一つまたは複数のコンポーネントで構成されるコーティングが付着させられること、
上面および／あるいは下面のコーティングには、担体フォイル(５)からの箔付けが含まれていることを特徴とする方法。
【請求項４】
請求項１から請求項３のいずれか１項に記載の方法であって、
フォイル枚葉紙の第１面が少なくともコーティングされていて箔付けされていること、
該フォイル枚葉紙が枚葉紙加工機内で反転させられること、
該フォイル枚葉紙のコーティングされた面と反対側の面に、さらなる転写ギャップ(６)において担体フォイル(５)から画像ごとまたは全面状の箔付けが施されることを特徴とする方法。
【請求項５】
請求項４に記載の方法であって、
前記フォイル枚葉紙の第１面に、転写ギャップ(６)において担体フォイル(５)から全面状の箔付けが施されること、
該枚葉紙が枚葉紙加工機内で反転させられること、
全面状の箔付けが施された該枚葉紙の面と反対側の面に少なくとも印刷が行われることを特徴とする方法。
【請求項６】
請求項１から請求項５のいずれか１項に記載の方法であって、
前記フォイル枚葉紙の、転写ギャップ(６)において担体フォイル(５)から全面状の箔付けが施される面に、視覚的または触覚的な効果を与える予備コーティングが施されており、このとき、該予備コーティング面の部分も含めて接着剤が塗布されることを特徴とする方法。
【請求項７】
請求項６に記載の方法であって、
前記予備コーティングが、印刷装置、または塗工モジュール、または印刷装置または塗工モジュールまたは枚葉紙輸送モジュール内においてインクジェット印刷ヘッドまたはレーザー印刷装置により行われることを特徴とする方法。
【請求項８】
請求項６に記載の方法であって、
前記予備コーティングが、コーティング装置において凸版印刷、凹版印刷、または平版印刷による印刷で行われることを特徴とする方法。
【請求項９】
請求項１から請求項７のいずれか１項に記載の方法であって、
前記フォイル枚葉紙の、転写ギャップ(６)において担体フォイル(５)から全面状の箔付けが施される面に、視覚的または触覚的な効果を与える予備コーティングが施されており、このとき、該予備コーティングは、該予備コーティングが、転写ギャップ(６)において担体フォイル(５)の画線部提供層と一緒にフォイル枚葉紙に転写されるよう、担体フォイル(５)の画線部提供面で行われることを特徴とする方法。
【請求項１０】
請求項１から請求項９のいずれか１項に記載の方法であって、
転写ギャップ(６)において前記フォイル枚葉紙に、担体フォイル(５)から画像ごとまたは面状に、色、屈折率変化、またはエンボス構造といった視覚的特性を持つフォイル層による箔付けが行われることを特徴とする方法。
【請求項１１】
請求項１から請求項１０のいずれか１項に記載の方法であって、
担体フォイル(５)から転写される画像ごとまたは面状のフォイル層が、視覚的な機能層であることを特徴とする方法。
【請求項１２】
請求項１から請求項１０のいずれか１項に記載の方法であって、
担体フォイル(５)から転写される画像ごとまたは面状のフォイル層が、構造を形成する機能層であることを特徴とする方法。
【請求項１３】
請求項１から請求項１２のいずれか１項に記載の方法であって、
接着剤および／あるいは液状コーティング媒体および／あるいは印刷インキが紫外線照射により硬化可能であることを特徴とする方法。
【請求項１４】
請求項１から請求項１３のいずれか１項に記載の方法であって、
前記フォイル枚葉紙に施されたコーティングが単独または組み合わせて乾燥させられることを特徴とする方法。
【請求項１５】
画線部提供層および／あるいはカバー層もしくは重ね層を転写フォイル(５)から枚葉紙に転写するための装置であって、
該装置には画像ごとまたは面状に接着剤を塗布するための少なくとも一つの着け装置(１)および、転写フォイル(５)の画線部提供層および／あるいはカバー層を枚葉紙に転写するための少なくとも一つの箔コーティング装置(２)が備わっており、
各箔コーティング装置(２)には一つの転写ギャップ(６)があり、この転写ギャップ内を、転写フォイル(５)が、層のある面を枚葉紙に接した状態でプレスロール(３)によって圧力をかけられて少なくとも接するように圧力をかけられて通過するために、画線部提供層および／あるいはカバー層もしくは重ね層が、接着剤を塗布された領域において枚葉紙に付着するように転写フォイル(５)から枚葉紙に転写され、作業ユニット(Ｄ)および／あるいは箔付けモジュール(ＦＡ)には、転写ギャップ(６)の前あるいは後の領域に、それぞれ一つのドライヤ(１６)が割り当てている装置において、
・フォイル枚葉紙としての、フォイル材料からなる被印刷物枚葉紙を加工するための該枚葉紙加工機が、枚葉紙輪転印刷機として構成されていること、
・前記枚葉紙輪転印刷機が、枚葉紙フィーダ(ＡＮ)またはロールシートフィーダ(ＲＢ)と、枚葉紙デリバリ(ＡＵ)との間に、印刷ユニットおよび／あるいは塗工ユニットおよび／あるいはコーティングユニットとして構成された複数の作業ユニット(Ｄ)を備えていること、
・該枚葉紙輪転印刷機には、前記作業ユニット(Ｄ)の前または後に、または、選択的に備えられる枚葉紙反転装置の前および／あるいは後に、一つの着け装置(１)および一つの箔コーティング装置(２)を備える少なくとも一つの箔付けモジュール(ＦＡ)が割り当てられていること、
・フォイル枚葉紙の未印刷もしくは未コーティングの面を、これら作業ユニット(Ｄ,ＦＡ,１)の内、一つの作業ユニット(Ｄ,ＦＡ,１)に供給する領域内に、選択的に、フォイル枚葉紙の予備コーティングのための、液体媒体用のコーティングモジュール、望ましくは塗工モジュール、あるいはフォイル枚葉紙の表面処理を行える照射装置(Ｅ)が備えられていること、あるいは、転写フォイルの加工を行う作業ユニット(ＦＡ,１)に転写フォイル(５)を供給する領域内に、転写層を持つ転写フォイル面の表面処理を行える照射装置(Ｅ)が備えられていることを特徴とする装置。
【請求項１６】
請求項１５に記載の装置であって、
前記枚葉紙輪転印刷機の作業ユニットまたは枚葉紙をガイドする枚葉紙輸送モジュールの、コーティング後の領域にドライヤが備わっていることを特徴とする装置。
【請求項１７】
請求項１５または請求項１６に記載の装置であって、
前記枚葉紙輪転印刷機の、枚葉紙フィーダ(ＡＮ)またはロールシートフィーダ(ＲＢ)と枚葉紙デリバリ(ＡＵ)との間に、枚葉紙輸送方向において、
・一つの塗工モジュールまたはｎ個の印刷装置(Ｄ)、
・一つの箔付けモジュール(ＦＡ)、
選択的に一つの反転装置(Ｗ)、
・ｎ個の印刷装置(Ｄ)、
・選択的に一つのさらなる箔付けモジュール(ＦＡ)、という構成を備えていることを特徴とする装置。
【請求項１８】
請求項１５から請求項１７のいずれか１項に記載の装置であって、
前記枚葉紙輪転印刷機に、枚葉紙フィーダ(ＡＮ)またはロールシートフィーダ(ＲＢ)と枚葉紙デリバリ(ＡＵ)との間に、枚葉紙輸送方向において、
・一つの塗工モジュールまたは印刷装置(Ｄ)、
・一つの箔付けモジュール(ＦＡ)、
・ｎ個の印刷装置(Ｄ)、
・一つの反転装置(Ｗ)、
・一つの塗工モジュールまたは印刷装置(Ｄ)、
・一つの箔付けモジュール(ＦＡ)、
・ｎ個の印刷装置(Ｄ)、という構成を備えていることを特徴とする装置。
【請求項１９】
請求項１５から請求項１７のいずれか１項に記載の装置であって、
前記枚葉紙輪転印刷機に、枚葉紙フィーダ(ＡＮ)またはロールシートフィーダ(ＲＢ)と枚葉紙デリバリ(ＡＵ)との間に、枚葉紙輸送方向において、
選択的に一つの塗工モジュールまたはｎ個の印刷装置(Ｄ)、
・一つの箔付けモジュール(ＦＡ)、
・ｎ個の印刷装置(Ｄ)、
・一つの反転装置(Ｗ)、
選択的に一つの箔付けモジュール(ＦＡ)、
・ｎ個の印刷装置(Ｄ)、という構成を備えていることを特徴とする装置。